(57)【特許請求の範囲】
【請求項１】
生コンクリートの品質に係る品質情報を蓄積し、インターネットに接続されたデータベース・サーバと、
該生コンクリートを運搬する運搬車に生コンクリートを積載する毎に、該データベース・サーバ内における、積載した生コンクリートの品質情報が蓄積されているインターネット上の位置を示すアドレスを特定可能な唯一のコードデータを発生させるコードデータ発生手段と、
該コードデータを保持したコードデータ保持手段と、
該コードデータ保持手段から該コードデータを読み取り、該コードデータに基づき該アドレスを特定し、該アドレスにアクセスして該品質情報を取得することが可能なユーザ端末と、
該コードデータと該アドレスとを関連させるコード解決サーバとを有し、
そして、該ユーザ端末は、該コードデータを読み取り、該コード解決サーバにアクセスし、読み取ったコードデータに対応する該アドレスを取得し、取得した該アドレスにアクセスして該品質情報を取得することが可能となるよう構成され、
さらに、該品質情報には、該運搬車に生コンクリートを積載した時点で特定されている情報（Ａ）と、当該時点以降に特定される情報（Ｂ）の２種類があり、
該情報（Ｂ）には、該運搬車に積載した生コンクリートと同じ組成の供試体にかかる経時変化特性が少なくとも含まれることを特徴とする生コンクリート品質管理情報システムであり、
該運搬車には、生コンクリートの温度を測定する温度センサが設けられ、該情報（Ｂ）には、該温度センサが測定した温度データが含まれることを特徴とする生コンクリート品質管理情報システム。
【請求項２】
請求項１に記載の生コンクリート品質管理情報システムにおいて、該情報（Ａ）には、少なくとも生コンクリートを運搬車に積載した搬出時刻が含まれ、該情報（Ｂ）には、少なくとも生コンクリートの納入時刻が含まれていることを特徴とする生コンクリート品質管理情報システム。
【請求項３】
請求項１に記載の生コンクリート品質管理情報システムにおいて、該情報（Ｂ）には、運搬車１台あたりの単位量算出記録が含まれることを特徴とする生コンクリート品質管理情報システム。
【請求項４】
請求項１に記載の生コンクリート品質管理情報システムにおいて、該情報（Ｂ）には、納品時の生コンクリートの温度が含まれていることを特徴とする生コンクリート品質管理情報システム。
【請求項５】
請求項１乃至４のいずれかに記載の生コンクリート品質管理情報システムにおいて、該コードデータは、該ユーザ端末が該アドレスを直接読み取ることができる情報であることを特徴とする生コンクリート品質管理情報システム。
【請求項６】
請求項１乃至５のいずれかに記載の生コンクリート品質管理情報システムにおいて、該コードデータは、ｕｃｏｄｅであることを特徴とする生コンクリート品質管理情報システム。
【請求項７】
請求項１乃至６のいずれかに記載の生コンクリート品質管理情報システムにおいて、該コードデータ保持手段は、該コードデータを印刷した書類、該コードデータを保持したＩＣタグ，ＩＣシール又はＩＣカードのいずれかであることを特徴とする生コンクリート品質管理情報システム。
【請求項８】
請求項７に記載の生コンクリート品質管理情報システムにおいて、該コードデータは、バーコード又はマトリックス型二次元コードであることを特徴とする生コンクリート品質管理情報システム。
【請求項９】
請求項１乃至８のいずれかに記載の生コンクリート品質管理情報システムにおいて、該ユーザ端末は、該コードデータを読み取ることが可能であると共に、取得した該品質情報を画面表示可能な携帯型端末であることを特徴とする生コンクリート品質管理情報システム。
【請求項１０】
請求項９に記載の生コンクリート品質管理情報システムにおいて、該携帯型端末は、該コードデータを他のユーザ端末に送信する機能、あるいは、該データベース・サーバから該品質情報を他のユーザ端末にダウンロードするために必要な情報を、該携帯型端末又は該データベース・サーバから前記他のユーザ端末に送信する機能のいずれかを有していることを特徴とする生コンクリート品質管理情報システム。
【請求項１１】
請求項１乃至１０のいずれかに記載の生コンクリート品質管理情報システムにおいて、該ユーザ端末は、該生コンクリートが納入されたこと示す納入信号を、インターネットを介して通知する納入通知機能を有し、該納入信号に基づき該データベース・サーバに品質情報として納入時刻を記録することを特徴とする生コンクリート品質管理情報システム。
【発明の詳細な説明】
【技術分野】
【０００１】
本発明は、生コンクリートの品質に係る品質情報を簡便、正確かつ確実に提供することが可能な生コンクリート品質管理情報システムに関する。
【背景技術】
【０００２】
生コンクリートを構成する原料やその配合比、フレッシュ性状など、生コンクリートの品質に係る品質情報は、コンクリート構造物の機械的強度及び耐久性等の特性を知る上で極めて重要な情報であり、生コンクリート製造業者が、このような品質情報を取得・保管し、必要に応じて生コンクリートの受入側に提示することが行われている。
【０００３】
レディーミクストコンクリートに関する日本工業規格「ＪＩＳ  Ａ５３０８」では、２０１０年４月１日より、購入者から要求があった場合には、レディーミクストコンクリート納入後に、（１）バッチごとの計量読取記録及びこれから算出した単位量、（２）バッチごとの計量印字記録及びこれから算出した単位量、若しくは（３）バッチごとの計量印字記録及びこれから自動算出した単位量のいずれかを提出することとし、バッチごとの計量値を運搬車１台ごとにまとめて平均し、コンクリート１ｍ３の単位量に直して提出することとなっている。
【０００４】
生コンクリートの品質情報を購入者に提供する方法として、通常、配合計画書、納入書及び強度試験報告書などに品質情報を記載することが行われている。しかしながら、これらの品質情報を受入側で管理するには、納入書を長期間に渡り保管管理する必要がある。仮にコンピュータで管理するには、コンピュータに情報入力を行う際の入力ミスなど、納入書とコンピュータデータとの一致性が重要となる。しかも、品質情報の内容が増加すると、入力ミスだけでなく、入力のための作業者を別途確保する必要があり、コストアップの原因ともなる。
【０００５】
また、生コンクリートの製造時に判明している情報については、納入書に記載できるが、その後判明した情報については、特段の提供手段が設けられていなかった。納入書に記載できない情報としては、製造者側が製造したコンクリートの品質をチェックするために、生コンクリートの製造後、一部を取り出して作製した供試体の経時変化特性などの強度、耐久性に係るものがある。
【０００６】
さらに、品質情報をＩＣカードやＩＣタグに記録し、需要者に提供する方法も提案されている。ＩＣタグでは、特許文献１のように、コンクリート製品自体に設置する方法や、特許文献２のように、生コンクリート運搬車に設置する方法がある。
【０００７】
しかしながら、ＩＣカードによる方法では、ＩＣカードに記録された情報をコンクリート打設現場で読み取り、コンピュータ等に記録する必要がある。このため、後日、施工者が事務所でその内容を確認するには、打設現場で読み取ったデータを何らかの方法で事務所に持ち帰るか、あるいは通信手段で事務所のコンピュータに情報を送信することが必要となる。しかも、ＩＣカードは製造者に返される場合には、依頼者側にデータが残らず、また、読み取ったデータが壊れた場合には、データの再生が困難となる。
【０００８】
また、ＩＣタグを利用する方法も、コンクリート建造物内にＩＣタグがある場合には、建造物がある場所でしかＩＣタグに記録された情報を読み取ることができず、全ての情報を集め、管理する作業が大変煩雑なものとなる。またコンクリート運搬車にＩＣタグを設けた場合には、ＩＣカードと同様に、ＩＣタグが再利用され依頼者側にデータが残らず、また、読み取ったデータが壊れた場合の再生が困難となる。
【０００９】
さらに、ＩＣカードやＩＣタグによる品質情報の提供は、いずれも生コンクリート製造時に取得可能な情報に限られ、製造後に得られる品質情報については、依然として生コンクリートの受入側に提供することが出来なかった。
【先行技術文献】
【特許文献】
【００１０】
【特許文献１】特開２００８−１３７２８４号公報
【特許文献２】特開２００８−１３７２８５号公報
【発明の概要】
【発明が解決しようとする課題】
【００１１】
本発明は、上記の課題を解決するためになされたものであって、生コンクリートの品質に関する品質情報を、簡易、正確、確実に受入側に提供できると共に、生コンクリート製造時点以降に得られた品質情報についても受入側が極めて容易に入手することが可能な生コンクリート品質管理情報システムを提供することを目的とする。
【課題を解決するための手段】
【００１２】
上記の課題を解決するため、請求項１に係る発明は、生コンクリートの品質に係る品質情報を蓄積し、インターネットに接続されたデータベース・サーバと、該生コンクリートを運搬する運搬車に生コンクリートを積載する毎に、該データベース・サーバ内における、積載した生コンクリートの品質情報が蓄積されているインターネット上の位置を示すアドレスを特定可能な唯一のコードデータを発生させるコードデータ発生手段と、該コードデータを保持したコードデータ保持手段と、該コードデータ保持手段から該コードデータを読み取り、該コードデータに基づき該アドレスを特定し、該アドレスにアクセスして該品質情報を取得することが可能なユーザ端末と、該コードデータと該アドレスとを関連させるコード解決サーバとを有し、そして、該ユーザ端末は、該コードデータを読み取り、該コード解決サーバにアクセスし、読み取ったコードデータに対応する該アドレスを取得し、取得した該アドレスにアクセスして該品質情報を取得することが可能となるよう構成され、さらに、該品質情報には、該運搬車に生コンクリートを積載した時点で特定されている情報（Ａ）と、当該時点以降に特定される情報（Ｂ）の２種類があり、該情報（Ｂ）には、該運搬車に積載した生コンクリートと同じ組成の供試体にかかる経時変化特性が少なくとも含まれることを特徴とする生コンクリート品質管理情報システムであり、該運搬車には、生コンクリートの温度を測定する温度センサが設けられ、該情報（Ｂ）には、該温度センサが測定した温度データが含まれることを特徴とする生コンクリート品質管理情報システムである。
【００１３】
請求項２に係る発明は、請求項１に記載の生コンクリート品質管理情報システムにおいて、該情報（Ａ）には、少なくとも生コンクリートを運搬車に積載した搬出時刻が含まれ、該情報（Ｂ）には、少なくとも生コンクリートの納入時刻が含まれていることを特徴とする。
【００１４】
請求項３に係る発明は、請求項１に記載の生コンクリート品質管理情報システムにおいて、該情報（Ｂ）には、運搬車１台あたりの単位量算出記録が含まれることを特徴とする。
【００１５】
請求項４に係る発明は、請求項１に記載の生コンクリート品質管理情報システムにおいて、該情報（Ｂ）には、納品時の生コンクリートの温度が含まれていることを特徴とする。
【００１６】
請求項５に係る発明は、請求項１乃至４のいずれかに記載の生コンクリート品質管理情報システムにおいて、該コードデータは、該ユーザ端末が該アドレスを直接読み取ることができる情報であることを特徴とする。
【００１７】
請求項６に係る発明は、請求項１乃至５のいずれかに記載の生コンクリート品質管理情報システムにおいて、該コードデータは、ｕｃｏｄｅであることを特徴とする。
【００１８】
請求項７に係る発明は、請求項１乃至６のいずれかに記載の生コンクリート品質管理情報システムにおいて、該コードデータ保持手段は、該コードデータを印刷した書類、該コードデータを保持したＩＣタグ，ＩＣシール又はＩＣカードのいずれかであることを特徴とする。
【００１９】
請求項８に係る発明は、請求項７に記載の生コンクリート品質管理情報システムにおいて、該コードデータは、バーコード又はマトリックス型二次元コードであることを特徴とする。
【００２０】
請求項９に係る発明は、請求項１乃至８のいずれかに記載の生コンクリート品質管理情報システムにおいて、該ユーザ端末は、該コードデータを読み取ることが可能であると共に、取得した該品質情報を画面表示可能な携帯型端末であることを特徴とする。
【００２１】
請求項１０に係る発明は、請求項９に記載の生コンクリート品質管理情報システムにおいて、該携帯型端末は、該コードデータを他のユーザ端末に送信する機能、あるいは、該データベース・サーバから該品質情報を他のユーザ端末にダウンロードするために必要な情報を、該携帯型端末又は該データベース・サーバから前記他のユーザ端末に送信する機能のいずれかを有していることを特徴とする。
【００２２】
請求項１１に係る発明は、請求項１乃至１０のいずれかに記載の生コンクリート品質管理情報システムにおいて、該ユーザ端末は、該生コンクリートが納入されたこと示す納入信号を、インターネットを介して通知する納入通知機能を有し、該納入信号に基づき該データベース・サーバに品質情報として納入時刻を記録することを特徴とする。
【発明の効果】
【００２３】
上記の課題を解決するため、請求項１に係る発明により、生コンクリートの品質に係る品質情報を蓄積し、インターネットに接続されたデータベース・サーバと、該生コンクリートを運搬する運搬車に生コンクリートを積載する毎に、該データベース・サーバ内における、積載した生コンクリートの品質情報が蓄積されているインターネット上の位置を示すアドレスを特定可能な唯一のコードデータを発生させるコードデータ発生手段と、該コードデータを保持したコードデータ保持手段と、該コードデータ保持手段から該コードデータを読み取り、該コードデータに基づき該アドレスを特定し、該アドレスにアクセスして該品質情報を取得することが可能なユーザ端末とを有することを特徴とする生コンクリート品質管理情報システムであるため、コードデータ保持手段に保持されたコードデータを用いて、運搬車毎の生コンクリートの品質情報を蓄積したデータベース・サーバに容易にアクセスできる。しかも、コードデータ保持手段を保管している場合や、コードデータ保持手段に保持されたコードデータを読み取り蓄積している場合は、いつでも、どこでも当該品質情報を入手することができる。このように、本発明では、生コンクリートの品質に関する品質情報を、簡易、正確、確実に受入側に提供することが可能となる。
【００２４】
しかも、請求項１に係る発明により、コードデータと前記アドレスとを関連させるコード解決サーバを有し、ユーザ端末は、該コードデータを読み取り、該コード解決サーバにアクセスし、読み取ったコードデータに対応する該アドレスを取得し、取得した該アドレスにアクセスして該品質情報を取得することが可能であるため、データベース・サーバの管理者が変更されたり、品質情報を他のデータべースに移動したりした場合のように、品質情報が蓄積されているインターネット上の位置を示すアドレスが変更された場合であっても、コード解決サーバの情報を更新するだけで、常に正しい品質情報にアクセスすることが可能となる。
【００２５】
さらに、請求項１に係る発明により、品質情報には、運搬車に生コンクリートを積載した時点で特定されている情報（Ａ）と、当該時点以降に特定される情報（Ｂ）の２種類があるため、生コンクリートを積載した時点以降に得られる品質情報についても、コードデータ保持手段から得られるコードデータを利用して、容易に入手することが可能となる。特に、該情報（Ｂ）には、該運搬車に積載した生コンクリートと同じ組成の供試体にかかる経時変化特性が少なくとも含まれるため、生コンクリートの品質情報としても重要な情報である、供試体に関する品質情報を、容易に入手することが可能となる。しかも、情報（Ｂ）には、運搬車に備えた温度センサで測定した生コンクリートの温度データも含まれるため、納入した製品に係る極めて有用な品質情報を、容易に入手することが可能となる。
【００２６】
請求項２に係る発明により、情報（Ａ）には、少なくとも生コンクリートを運搬車に積載した搬出時刻が含まれ、情報（Ｂ）には、少なくとも生コンクリートの納入時刻が含まれているため、両方の情報から、生コンクリートの品質情報においても重要な情報である、搬出から納入までに要した時間を記録することが可能となる。
【００２７】
請求項３に係る発明により、情報（Ｂ）には、運搬車１台あたりの単位量算出記録が含まれるため、生コンクリートの品質情報としても重要な情報である、納入した生コンクリーに関する正確な配合内容を示す情報などを、容易に入手することが可能となる。
【００２８】
請求項４に係る発明により、情報（Ｂ）には、納品時の生コンクリートの温度が含まれているため、生コンクリートの品質情報としては有用な納品時の温度情報を、容易に入手することが可能となる。
【００２９】
請求項５に係る発明により、コードデータは、ユーザ端末が前記アドレスを直接読み取ることができる情報であるため、ユーザ端末は読み取ったアドレスの情報に基づき、直接、データベース・サーバにアクセスでき、品質情報を簡便に入手することが可能である。
【００３０】
請求項６に係る発明により、コードデータは、ｕｃｏｄｅであるため、ユビキタスＩＤセンターが発行する唯一のコードを利用することにより、例えば、特定の運搬車が特定の日時に運んだ生コンクリートを、他のものと混同することなく特定することができる。
【００３１】
請求項７に係る発明により、コードデータ保持手段は、コードデータを印刷した書類、コードデータを保持したＩＣタグ，ＩＣシール又はＩＣカードのいずれかであるため、市販されている読み取り手段を用いて、容易にコードデータを読み取ることが可能となる。特に、コードデータを納入書等の書類に印刷する場合には、通常の納入書等の書類の受け渡し作業だけで、唯一のコードデータを納品先に伝達することができ、納入書等を保管している限りは、いつでも、どこでも当該品質情報を入手することができる。また、ＩＣタグやＩＣシールなどを、納入書等の書類に貼り付け一体化させる場合も、同様の効果が期待できる。
【００３２】
請求項８に係る発明により、コードデータは、バーコード又はマトリックス型二次元コードであるため、当該バーコード又はマトリックス型二次元コードを読み取ることで、品質情報を蓄積したデータベース・サーバに容易にアクセスすることが可能となる。
【００３３】
請求項９に係る発明により、ユーザ端末は、コードデータを読み取ることが可能であると共に、取得した品質情報を画面表示可能な携帯型端末であるため、生コンクリートの打設現場でも、品質情報を蓄積したデータベース・サーバに容易にアクセスでき、品質情報を閲覧することが可能となる。
【００３４】
請求項１０に係る発明により、携帯型端末は、コードデータを他のユーザ端末に送信する機能、あるいは、データベース・サーバから品質情報を他のユーザ端末にダウンロードするために必要な情報を、該携帯型端末又は該データベース・サーバから前記他のユーザ端末に送信する機能のいずれかを有しているため、ユーザ端末で品質情報を取得・管理する作業を円滑に行うことができる。
【００３５】
請求項１１に係る発明により、ユーザ端末は、生コンクリートが納入されたこと示す納入信号を、インターネットを介して通知する納入通知機能を有し、該納入信号に基づき該データベース・サーバに品質情報として納入時刻を記録するため、品質情報として重要な納入時刻を簡便かつ正確に記録することができ、品質情報の信頼性をより高めることも可能となる。
【図面の簡単な説明】
【００３６】
【図１】本発明の生コンクリート品質管理情報システムの概略を示す図である。
【図２】本発明の生コンクリート品質管理情報システムに利用される納入書の例を示す図である。
【発明を実施するための形態】
【００３７】
本発明の生コンクリート品質管理情報システムについて、より詳細に説明する。なお、これらの形態は、発明の趣旨をより良く理解させるために具体的に説明するものであり、特に指定のない限り、本発明を限定するものではない。
【００３８】
本発明の生コンクリート品質管理情報システムは、図１に示すように、生コンクリートの品質に係る品質情報を蓄積し、インターネット１に接続されたデータベース・サーバ２と、該生コンクリートを運搬する運搬車に生コンクリートを積載する毎に、該データベース・サーバ内における、積載した生コンクリートの品質情報が蓄積されているインターネット上の位置を示すアドレスを特定可能な唯一のコードデータを発生させるコードデータ発生手段と、該コードデータを保持したコードデータ保持手段と、該コードデータ保持手段から該コードデータを読み取り、該コードデータに基づき該アドレスを特定し、該アドレスにアクセスして該品質情報を取得することが可能なユーザ端末（４，５）とを有する。
【００３９】
図１に示すように、品質情報を蓄積したデータベース・サーバ２、後述するコード解決サーバ３、携帯型端末４やユーザ・コンピュータ５などのユーザ端末は、インターネット１を介してネットワークを形成している。
【００４０】
データベース・サーバ２は、運搬車毎で、かつ、運搬する毎に個別の生コンクリートに関する品質情報が蓄積されている。品質情報としては、レディーミクストコンクリートに関する日本工業規格「ＪＩＳ  Ａ５３０８」で提示することが必要な情報を、最小限含むものである。また、品質情報には、運搬車に生コンクリートを積載した時点で特定されている情報（Ａ）と、当該時点以降に特定される情報（Ｂ）の２種類がある。
【００４１】
運搬車に生コンクートを積載した時点で特定されている品質情報（Ａ）、特にコンクリート納入書で提示する情報としては、以下のようなものが列挙される。
（１）生コンクリートの納入場所
（２）運搬車の番号（車両ナンバー）
（３）生コンクリートを積載した時刻（搬出時刻）
（４）生コンクリートの納入容積（他の運搬車との累計容積を明記することも可能）
（５）呼び方（コンクリートの種類による記号，呼び強度，スランプ又はスランプフロー，粗骨材の最大寸法，セメントの種類による記号）
（６）配合表（セメント，混和剤，水，細骨材，粗骨材やこれら等から算出される水セメント比，水結合材比，粗骨材率，スラッジ固形分率）
（７）配合の種別（標準配合，修正標準配合，計量読取記録から算出した単位量，計量印字記録から算出した単位量，計量印字記録から自動算出した単位量のいずれであるかの表示）
【００４２】
また、コンクリート製造業者が生コンクリートの発注を請け負う際に作成される「コンクリート配合計画書」などに記載される以下のような情報についても、品質情報（Ａ）として蓄積することが可能である。
・依頼主
・工事名称
・指定事項（セメントの種類，骨材の種類，粗骨材の最大寸法，アルカリシリカ反応抑制対策の方法，骨材のアルカリシリカ反応性による区分，水の区分，混和材料の種類及び使用量，塩化物含有量，呼び強度を保証する材齢，空気量，軽量コンクリートの単位容積質量，コンクリートの温度，水セメント比の目標値の上限，単位水量の目標値の上限，単位セメント量の目標値の下限又は目標値の上限，流動化後のスランプ増大量）
・使用材料（セメントの生産者名・密度，混和剤の製品名・種類・密度，細骨材や粗骨材の種類・産地又は品名・アルカリシリカ反応性による区分や試験方法・粒の大きさの範囲・粗粒率又は実績率・密度・微粒分量の範囲，混和剤の製品名・種類，細骨材の塩化物量，水の区分，目標スラッジ固形分率）
・セメント・骨材・混和剤に含まれる全アルカリ量の計算値及び判定
【００４３】
上述した配合計画書は、文字データで蓄積することも可能であるが、配合計画書をイメージデータとして蓄積し、配合計画書のコピーとして保存することも可能である。また、製造者側としては、販売した生コンクリートの不具合を後日発見した場合に、販売先を特定し、製品の不具合を報告等の対策を行うには、配合計画書などの顧客と交わした書類は、貴重な情報である。品質情報として、依頼主や販売した生コンクリートの施工場所・施設を容易に特定できる情報も併せて蓄積し、製造者側が品質情報を蓄積したデータベースにアクセスし、使用したセメントや骨材などを検索条件として、施工場所等を特定することを可能とすることが好ましい。
【００４４】
次に、運搬車に生コンクリートを積載した時点以降に特定される品質情報（Ｂ）としては、以下のようなものが列挙される。
（８）生コンクリートを納入した時刻（納入時刻）
（９）供試体の経時変化特性（材齢毎の強度変化及び耐久性など）
（１０）運搬車１台あたりの単位量算出記録（運搬車で納入した生コンクリートの配合成分を特定する際に必要となる記録）
【００４５】
品質情報の（８）納入時刻については、納入先の現場で情報が入力されることが好ましい。後述するように入力に際しては、ユーザ端末、より好ましくは現場で持ち運びが容易な携帯型端末が利用される。また、（９）供試体の経時変化特性については、製造者側が供試体を試験する度に得たデータが蓄積される。
【００４６】
また、品質情報（Ｂ）としては、納品時の生コンクリートの温度や、ＧＰＳなどを利用して特定される施工場所の位置情報など種々の情報を付加することができる。特に、生コンクリートの温度は納入した製品の品質情報としては有用である。運搬車に備えた温度センサで測定する場合には、運搬車に設けた通信手段によりデータベース・サーバへアクセスし、温度の測定値を送信したり、コードデータ保持手段が後述するように記憶機能を有するＩＣタグなどであれば、運搬車にデータ書き込み手段を設け、ＩＣタグ等に温度データを記憶させることも可能である。ＩＣタグ等に記憶したデータは、上述した納入時刻と同様に、ユーザ端末を利用して送信する方法や、ＩＣカード自体を製造者側に持ち帰って製造者側のコンピュータにデータを移す方法などがある。
【００４７】
本発明の特徴の一つは、生コンクリートを運搬する運搬車に生コンクリートを積載する毎に唯一のコードデータが付与されることである。このコードデータは、当該運搬車が積載した生コンクリートの品質情報が蓄積されているデータベース内における、当該品質情報をインターネット上の位置を示すアドレスから特定することを可能とするものである。このコードデータは、重複したデータであってはならず、必ず唯一のコードデータである。
【００４８】
コードデータとしては、品質情報を蓄積したアドレス（Uniform Resource Locator；ＵＲＬ）をユーザ端末により直接読み取り、判別できるような情報を利用することができる。このような場合には、ユーザ端末は読み取ったアドレスの情報に基づき、直接、インターネットを経由してデータベース・サーバにアクセスでき、品質情報を簡便に入手することが可能となる。
【００４９】
また、他のコードデータとしては、コートデータと当該コードデータに対応する品質情報が蓄積されたアドレス（ＵＲＬ）とを関連づける手段（コード解決サーバ）を前提とするものがある。このようなコードデータとしては、ユビキタスＩＤセンターが発行するｕｃｏｄｅが好適に利用可能である。ｕｃｏｄｅのようなコードデータを発生するコードデータ発生手段としては、コードデータを管理する機関のサーバに接続し、コードデータの発生を要求する信号を受理して、自動的にコードデータを発生するよう構成したり、コードデータを管理する機関から予め付与可能なコードデータの範囲の指定を受け、当該範囲内で生コンクリートの製造者がコードデータを付与するよう構成することも可能である。
【００５０】
このようなコードデータ発生手段は、データベース・サーバ２やコード解決サーバ３とは別のコンピュータやサーバを利用することも可能であり、また必要に応じて、データベース・サーバの機能やコード解決サーバの機能を同じハードウェア内に設けることも可能である。
【００５１】
コード解決サーバ３では、運搬車毎に発生させたコードデータと、該運搬車が運んでいる生コンクリートの品質情報とを関連させる必要がある。このため、表１に示すようなコードデータと該コードデータに対応する品質情報と蓄積したインターネット上の位置を示すＵＲＬを対応させている。
【００５２】
【表１】
0005520561.tif 000002
【００５３】
また、コードデータ発生手段は、発生したコードデータをコード解決サーバ３に登録すると共に、該コードデータに対応する品質情報を蓄積したデータベース・サーバのＵＲＬを併せてコード解決サーバに登録するよう設定することも可能である。当然、ＵＲＬの登録作業は、他のコンピュータを利用して行うこともできる。
【００５４】
コード解決サーバ３では、ユーザ端末などからコードデータの照会を受けると、当該コードデータに対応するＵＲＬを自動的に返信するよう構成されている。該ＵＲＬを受信したユーザ端末では、該ＵＲＬにアクセスし、該ＵＲＬのデータベース・サーバ２に蓄積されている品質情報を取得する。
【００５５】
次に、コードデータ保持手段は、コードデータを印刷した書類、コードデータを保持したＩＣタグ，ＩＣシール又はＩＣカードのいずれかが好適に利用可能である。ＩＣタグなどは、市販されている読み取り手段を用いて、容易にコードデータを読み取ることが可能であり、本発明に係るシステムを廉価に構築することが可能である。さらに、コードデータを納入書等の書類に印刷する場合には、通常の納入書等の書類の受け渡し作業だけで、唯一のコードデータを納品先に伝達することができる。しかも、納入書等を保管している限りは、いつでも、どこでも当該品質情報を入手することができ利便性が高い。なお、ＩＣタグやＩＣシールなどを、納入書等の書類に貼り付け使用する場合も、同様の効果が期待できる。
【００５６】
書類に印刷するコードデータとしては、バーコード又はマトリックス型二次元コードが利用可能である。図２に示すような、「ＱＲコード（登録商標）」と呼ばれているマトリックス型二次元コード１２は、表示できる情報量が多い上、簡便な読取機や読取機能付き携帯型端末も多く販売されているため、本発明の生コンクリート品質管理情報システムを構築する上では好適に利用可能である。
【００５７】
運搬車毎に発行したコードデータを、運搬車が納入先に持参する図２に示すような納入書１０に印刷する例を参考に説明する。納入書１０には、通常の品質情報と併せて、コードデータが表示されている。このため、納入書を作成する際には、一つの装置で一度に品質情報及びコードデータを印刷することが簡便で好ましいが、別々の装置で各々の部分を印刷するよう構成することも可能である。また、コードデータを表示したシールを納入書に貼り付けることも可能であり、さらには、ＩＣタグやＩＣシールを書類に添付する方法もある。
【００５８】
コンクリートの打設現場など生コンクリートの納入先では、受入側の作業員が納入書を受け取る。これ以降は、現場担当者、施工業者または施主などのユーザは、この納入書を利用して容易に生コンクリートの品質情報にアクセスすることができる。具体的には、ユーザ端末（４，５）を利用して、納入書に表示されたコードデータを読み取り、データベース・サーバに直接アクセスするか、あるいは、コード解決サーバ３にアクセスする。コード解決サーバでは、該当するコードデータに対応したＵＲＬをユーザ端末に戻し、ユーザ端末による当該ＵＲＬへのアクセスを可能とする。該ＵＲＬのデータベース・サーバにアクセスすることで、データベース・サーバ２に蓄積された品質情報がユーザ端末に送信される。
【００５９】
ＩＣタグ、ＩＣシール又はＩＣカードなどであっても、納入書と同様に、ユーザ側にコードデータ保持手段が渡される場合には、上述した納入書と同様に、ユーザがこれらを利用してデータベース・サーバにアクセスできる。また、ＩＣカードを製造者側に持ち帰る場合など、ユーザ側にコードデータ保持手段が残らない場合には、現場担当者などが所持するユーザ端末、特に、携帯型端末を利用して、ＩＣカード等に記録されたコードデータを含む情報を端末側にコピーし、コードデータの受け渡しを行う。
【００６０】
ユーザ端末は、上述した機能を実現できるものであれば特に限定されるものではないが、コンクリート打設現場の状況や、後日、施工業者等が事務処理を行うことを考慮して、携帯型端末４とインターネット接続が可能なパーソナル・コンピュータ５をユーザ端末として利用することが好ましい。
【００６１】
携帯型端末では、無線でインターネットに接続できるものが好ましく、コードデータを撮影し読み取るコードリーダー機能と、データベース・サーバ２から取得した品質情報を表示できる画面を有するものが、より好ましい。
【００６２】
また、携帯型端末を含むユーザ端末では、納入先でコードデータを読み取ってデータベース・サーバにアクセスし、携帯型端末から該データベース・サーバ又は生コンクリートの製造業者が指定する他の特定のサーバに、生コンクリートが納入されたこと示す納入信号をインターネットを介して通知する納入通知機能を有することが好ましい。この納入信号に基づき該データベース・サーバには、品質情報として納入時刻が記録されるように設定されている。
【００６３】
この納入時刻と、予めデータベース・サーバ２に記録されている搬出時刻との差が、生コンクリートの運搬に要した時間であり、どの位フレッシュな生コンクリートが使用されたかを判別する参考情報となる。また、打設現場で測定した温度データを携帯型端末を利用して送信することも可能である。
また、打設現場で測定した受入時のフレッシュ性状のデータ（例えば、スランプ、空気量など）を、携帯型端末を利用して送信することも可能である。製造から現場までにどれ位フレッシュ性状が変化したかを把握することで、生コンクリート工場における出荷時の品質管理に役立てることも可能となる。
【００６４】
パーソナル・コンピュータを利用したユーザ端末では、品質情報を取得し、ユーザ端末側にダウンロードして、ユーザが施工に係る生コンクリートの品質情報として利用可能であることが好ましい。これにより、納入書を見ながら必要なデータを入力する作業も不要となる。
【００６５】
ユーザ端末では、納入書を受け取った以降は、いつでも、どこでも必要な時に、納入書のコードデータを利用して品質情報にアクセスすることができる。品質情報には、供試体強度、耐久性の経時変化特性なども記録されているため、ユーザ側のコンクリート建造物に対する品質管理をサポートする有用な情報となる。ユーザ端末には、読み取ったコードデータや、アクセスしたＵＲＬを、取得した品質情報に関連付けて記憶する機能を付加することにより、コードデータを、その都度、読み込む手間を省略する構成することも可能である。
【００６６】
ユーザ端末には、マトリックス型二次元コードやＩＣタグなどのリーダーのように、コードデータを読み取るための読み取り手段を接続可能とすることが好ましい。また、ユーザ端末、特に、携帯型端末には、電子メールなどを利用して、コードデータを他のユーザ端末に送信する機能や、データベース・サーバから品質情報を他のユーザ端末にダウンロードするために必要な情報（ＵＲＬやデータベースへのアクセスキーなど）を、該携帯型端末から、又は該携帯型端末の指令により該データベース・サーバから、前記他のユーザ端末に送信する機能を付加することができる。これにより、ユーザ端末による品質情報へのアクセスやダウンロードをより、円滑に行うことができる。
【産業上の利用可能性】
【００６７】
以上のように、本発明によれば、生コンクリートの品質に関する品質情報を、簡易、正確、確実に受入側に提供できると共に、生コンクリート製造時点以降に得られた品質情報についても受入側が極めて容易に入手することが可能な生コンクリート品質管理情報システムを提供することが可能となる。
【符号の説明】
【００６８】
１  インターネット網
２  データベース・サーバ
３  コード解決サーバ
４  ユーザ端末（携帯型端末）
５  ユーザ端末（パーソナル・コンピュータ）
１０  納入書
１１  品質情報
１２  コードデータ（マトリックス型二次元コード）
【図１】
0005520561.tif 000003
【図２】
0005520561.tif 000004